(57)【要約】  使用者が無線電話のような携帯テレビ装置（１８）上のテレビチャンネルを変更するとき、チャンネル変更の間の待ち時間を低減するため、古いチャンネルからのコンテンツ、新しいチャンネルからのコンテンツ、及び「次の」チャンネルからのコンテンツが放送上に交互配置される時間の間、受信機（２８）及び装置のフロントエンドのロジックが作動し続ける、全体に作動されたモードの制限されたタイムアウト時間に関して、装置（１８）は省電力モードに出入りする。
2009520442.tif 000002
【特許請求の範囲】
【請求項１】
無線受信機（２８）と、
コマンド入力装置（２２）と、
テレビ信号を表示するよう構成された表示装置（２０）と、
前記受信機（２８）、前記表示装置（２０）及び前記コマンド入力装置（２２）と通信し、かつ、ロジックを実行するプロセッサ（３０）と
を備える携帯テレビ装置であって、
前記ロジックは、チャンネル変更コマンドが前記コマンド入力装置（２２）から受信されるまで、前記装置を使用してテレビを見る間、省電力モードで携帯テレビ装置の一部を構成し、その時点で、少なくともタイムアウト時間を経過するまで、多重チャンネル受信モードで前記一部を構成することを具備する前記携帯テレビ装置。
【請求項２】
前記プロセッサ（３０）は、前記タイムアウト時間の経過した時点で前記省電力モードにて前記一部を再構成することを特徴とする請求項１に記載の装置。
【請求項３】
前記多重チャンネル受信モードであるとき、前記一部は、少なくとも、テレビ信号内に古いチャンネルからのコンテンツ及び新しいチャンネルからのコンテンツが存在する時間の間、作動し、前記省電力モードであるとき、前記一部は、前記テレビ信号内に前記新しいチャンネルからのコンテンツが存在する時間を除いた全ての時間の間、電源が切られることを特徴とする請求項１に記載の装置。
【請求項４】
前記多重チャンネル受信モードであるとき、前記一部が、前記テレビ信号内に「次の」チャンネルからのコンテンツが存在する時間の間、作動することを特徴とする請求項３に記載の装置。
【請求項５】
前記一部が、前記タイムアウト時間の後、前記省電力モードに自動的に変化されることを特徴とする請求項１に記載の装置。
【請求項６】
前記「次の」チャンネルは、前記新しいチャンネルからのコンテンツが、前記テレビ信号内に送信された直後、前記テレビ信号内に送信されたコンテンツを有する前記チャンネルであることを特徴とする請求項４に記載の装置。
【請求項７】
前記「次の」チャンネルは、使用者が指定したお気に入りのチャンネルであることを特徴とする請求項４に記載の装置。
【請求項８】
前記一部が、スキャン・コマンドに応答して前記多重チャンネル受信モードで構成されることを特徴とする請求項１に記載の装置。
【請求項９】
前記一部が、サーフ・コマンドに応答して前記多重チャンネル受信モードで構成されることを特徴とする請求項１に記載の装置。
【請求項１０】
コンテンツが、前記多重チャンネル受信モードでは比較的低いビット・レートで、前記省電力モードでは比較的高いビット・レートで受信されることを特徴とする請求項１に記載の装置。
【発明の詳細な説明】
【技術分野】
【０００１】
本発明は一般に多重テレビチャンネルから、無線電話のような携帯無線装置にコンテンツを提供することに関する。
【背景技術】
【０００２】
「携帯テレビ」は、携帯電話のような携帯端末へのテレビ・コンテンツの無線の放送又はマルチキャストを参照する。いくつかのテクノロジーは、ＤＶＢ−Ｈ、ＤＭＢ、３Ｇを基礎とするテクノロジー及び「ＭｅｄｉａＦｌｏ」システムを含む携帯テレビに提案されている。
【０００３】
理解される通り、一般的な携帯テレビ放送テクノロジーは、受信機のバッテリー寿命と同様に順方向誤り訂正（ＦＥＣ）を向上することによって、非携帯テレビ放送テクノロジーを改良する、それらの進歩はともに、モバイル端末のために望まれている。
【０００４】
さらに理解される通り、一方、バッテリー電源を持続することを追及することにおいては、放送コンテンツの待ち時間（遅延）が増加するというトレードオフが構成される。理由を理解することについては、いくつかのチャンネルは、一つの放送上にタイム・スライスされる、すなわち、一つのチャンネルのコンテンツは、２秒間高いデータ率で放送され、その後に、２秒間高いデータ率で他のチャンネルのコンテンツが続き、２秒間高いデータ率でさらに第３のチャンネルのコンテンツが続くなどである。携帯受信機の無線通信及びフロントエンドのロジックは、使用者の選択したチャンネルが全サイクルの中から放送される内の２秒間のみ作動する必要があり、残り時間の間、オフにとどまり、かつ電源を節約する。この目的を達成するよう、受信機はシステム情報パケット及びパケットＩＤを介して通知され、オンとオフの時間の存続と同様に特定の番組のコンテンツが放送される。
【０００５】
しかし、お分かりの様に、使用者がチャンネルを変更する場合、上記の省電力プロトコルは、比較的大幅な遅れを与え、新しいチャンネルが到着するためのコンテンツまで完全なサイクルを待つことを使用者に強いる。この遅れは、頻繁に「チャンネルを次々と切り替える（ｃｈａｎｎｅｌ  ｈｏｐ）」傾向がある使用者に特に迷惑である。
【発明の開示】
【課題を解決するための手段】
【０００６】
本発明の概要
テレビ・コンテンツを提供するための方法は、少なくとも、テレビ信号内に古いチャンネルからのコンテンツ及び新しいチャンネルからのコンテンツが存在する時間の間、チャンネル変更コマンドを受け、それに応えて携帯テレビ装置の一部（例えば、無線通信及びフロントエンドのロジック）を作動することを備える。望ましくは、その一部は、テレビ信号内に「次の」チャンネルからのコンテンツが存在する時間の間、同様に作動する。このモードは、多重チャンネル受信モードとして参照される。その一部は、省電力モードを担うようテレビ信号内に新しいチャンネルからのコンテンツが存在する時間を除いた全ての時間の間に、タイムアウト時間の後、自動的に電源が切られる。
【０００７】
いくつかの実施形態では、「次の」チャンネルは、新しいチャンネルからのコンテンツがテレビ信号内に送信された直後、テレビ信号内に送信されたコンテンツを有するチャンネルである。他の実施形態では、「次の」チャンネルは、使用者が指定したお気に入りのチャンネルである。
【０００８】
携帯テレビ装置は、スキャン・コマンドに応えて、それとサーフ・コマンドに応えて、多重チャンネル受信モードに構成することができ、後者の場合、タイムアウト時間は事実上、無限へ向かうことを伴う。多重チャンネル受信モードでは、コンテンツは、省電力モード内に使われたビット・レートと比較して比較的低いビット・レートで受信することができる。
【０００９】
もう一つの側面では、携帯テレビ装置は、テレビ信号を表示するよう構成された無線受信機、コマンド入力装置及び表示装置を備える。プロセッサは、それら要素と通信する。プロセッサはチャンネル変更コマンドをコマンド入力装置から受けるまで、装置を使いテレビを見る間、省電力モードで携帯テレビ装置の一部を構成し、その時点で、プロセッサが少なくともタイムアウト時間の経過まで多重チャンネル受信モードでその一部を構成する。
【００１０】
さらにもう一つの側面では、携帯テレビ装置は、少なくとも第１と第２のテレビチャンネルからコンテンツを運ぶテレビ信号を処理するための回路と、チャンネル変更コマンドを入力するための手段を備える。ロジック手段は、低減された電力モードに回路を構成するために提供され、その回路は、第１のテレビチャンネルからコンテンツを運ぶテレビ信号の一部のためのみ作動する。また、入力するための手段に応答するロジック手段は、多重チャンネル受信モード内の回路を構成し、その回路は、少なくとも、第１のテレビチャンネルからコンテンツを運ぶテレビ信号の一部と、第２のテレビチャンネルからコンテンツを運ぶテレビ信号の一部のために作動する。
【発明を実施するための最良の形態】
【００１１】
本発明の詳細は、その構造及び操作についてともに、図面や、同様の参照記号は同様の部分を意味する、添付の図面を参照することにより最も理解されることができる。
【００１２】
最初に図１を参照すると、広く１０として示した携帯テレビシステムが示されており、テレビ信号内の多重テレビチャンネル（図１では４つ）からコンテンツを合成する送信局１２を少なくとも一つ備える。それに応じて、図１は、送信機１６による、無線電話に制限されないような一つ以上の携帯テレビ装置１８への無線送信のために上記で説明された原理に従って、原則的に単一ストリーム内にチャンネル信号を交互配置するマルチプレクサ１４を備えることができる送信局１２を示す。利用される無線の放送又はマルチキャストの実例の特有なタイプは、ＤＶＢ−Ｈ、ＤＭＢ、３Ｇを基礎とするテクノロジー及び「ＭｅｄｉａＦｌｏ」システムに制限されない。
【００１３】
図１に示された非制限的な実施例では、携帯テレビ装置１８は、テレビ信号を表示できるディスプレイ２０と、使用者が操作できるキーパッド２２または他のデータ入力装置を備える。キーパッド２２は、例えば、チャンネル・サーフ・キー及びチャンネル・スキャン・キーのような他のキーと同様にチャンネル・アップ・キー２４及びチャンネル・ダウン・キー２６を備える。チャンネル・アップ及びダウン・キー２４、２６は、その代案として、「次の」チャンネル・キー及び「前の」チャンネル・キーであることが考えられる。
【００１４】
送信局１２からのテレビ信号は、例えば、無線トランシーバ２８のような無線受信機に受信される、すなわち、プロセッサ３０によって制御される。プロセッサ３０は、関連したデータ・ストレージを備える。バッテリー３２は、携帯テレビ装置１８に電力を供給する。携帯テレビ装置１８の部品全ては、単一筐体上にある。
【００１５】
図２は、本原理に従って、プロセッサ３０によって実行されるロジックを示す。プロセッサ３０は、ロジックを保証するよう一つ以上のソフトウエア又はハードウエア要素にアクセスする。フローチャートは、コンピュータ・プログラム・ソフトウエアに具体化されるように、本発明の一つの制限されない実施例のロジック・モジュールの構造を説明する。当業者は、フローチャートが、例えば、本発明に従って機能するコンピュータ・プログラム・コード要素又は電子ロジック回路のようなロジック要素の構造を説明することを十分理解する。明白に、本発明は、その本質的な実施例において、示されたそれらに相当する機能ステップのシーケンスを実行するようデジタル処理装置（すなわち、コンピュータ又はマイクロプロセッサ）に指示する形態内でロジック要素を提供する機械部品によって実行される。内部ロジックは、状態機械と同様に単純とすることができる。
【００１６】
言い換えれば、本ロジックは、コンピュータ・プログラムのように設定される、すなわち、一連のコンピュータが実行できる指示のように、プロセッサによって実行される。ディスクに存在することに加えて、それら指示は、例えば、適当なコンピュータのＲＡＭ及び他の固体メモリ（ｓｏｌｉｄ  ｓｔａｔｅ  ｍｅｍｏｒｙ）内に、又は磁気テープ、電子読出し専用メモリ又は他の適当なデータ記憶装置上に記憶された指示に存在する。
【００１７】
ブロック３４において開始すると、携帯テレビ装置の一部は、前もって使用者によって選択されたテレビチャンネルからコンテンツ（通常、パケット化されている）を運ぶ時間を除けば、送信局１２からのテレビ信号の全時間のために電源が切られ、省電力モードは設定される。このチャンネルは、「古い」チャンネルのように考慮される。実質的に、全体の携帯テレビ装置１８は、コンテンツが、技術的に既知であるテレビ原理に従ってディスプレイ２０上で処理され、表示できるように「古い」チャンネル・コンテンツが運ばれる時間の間、作動する。そのほかの点では、すなわち、選択されたチャンネルからコンテンツを運ばない時間の間、バッテリー３２を節約するよう携帯テレビ装置１８の一部は、電源を切られる。これらの一部は、制限されない例の手段によって、携帯テレビ装置１８の無線（すなわち、トランシーバ２８）と、フロントエンドのロジック部品を備える。いずれにせよ、全てのコンテンツは、使用された単一周波数又は多重周波数上で運ばれる。
【００１８】
もし、使用者が、チャンネルを変更することを望む時、例えば、チャンネル・アップキーを押すことによってキーパッド２２を操作する場合、それ相応に、ロジックがチャンネル変更コマンドを受信するようブロック３６にフローする。チャンネル変更コマンドの受信は、ブロック３８へ移動するようロジックを引き起こし、プロセッサ３０は、以下のような多重チャンネル受信モードで携帯テレビ装置１８を構成する。多重チャンネル受信モードでは、古いチャンネル、新たに選択したチャンネル及び望ましくは「次の」チャンネルのためのコンテンツを、全て受信する、すなわち、実質的に、全体の携帯テレビ装置１８は、上記の３つのチャンネルからのコンテンツの送信に相当する時間の間、作動する。通常、これは、例えば、ＤＶＢ−Ｈプロトコルが使われたとき、異なる周波数チャンネルに同調することを必要としない。
【００１９】
多重チャンネル受信モードでは、ロジックは、デシジョン・ダイアモンド（ｄｅｃｉｓｉｏｎ  ｄｉａｍｏｎｄ）４０へループし、例えば、チャンネル変更コマンドを受けてから、タイムアウト時間が経過しているか否か決定する。もしそうでないなら、ロジックは、示されるように、多重チャンネル受信モードにとどまるよう携帯テレビ装置１８を引き起こす、別な場合、ロジックは、携帯テレビ装置１８を省電力モードに再構成するようブロック３４へループ・バックする。
【００２０】
上記ロジックを考慮すると、多重チャンネル受信モードであるとき、使用者が、例えば「前のチャンネル」または「次のチャンネル」キーを再び押す場合、チャンネル変更待ち時間は、省電力モードであることと比較して非常に軽減されることが直ちに理解され得る。上記の「タイムアウト」存続の目的は、使用者が「チャンネルを次々と切り替えること（ｃｈａｎｎｅｌ  ｈｏｐｐｉｎｇ）」を止めると思われるとき、バッテリー電源を節約するよう単一チャンネルを受信することに戻すことである。
【００２１】
例えば、「前のチャンネル」または「次のチャンネル」のためのキーを押すことの効果は明白だが、「次のチャンネル」の考え方は、より変動性を必要とする。制限されない例を手段として、「次のチャンネル」キーは、例えば、放送において多重化される輸送パケット流の順のような、放送者によって放送又は公開された順にチャンネルを単純にインクリメントする、又は「次のチャンネル」キーは、使用者によってプログラムされた次の“お気に入りの”チャンネルの表示をもたらすという２つの可能性がある。従って、多重チャンネル受信モードの間では、携帯テレビ装置１８は、「次のチャンネル」キーが押されることによって実行される機能に応じて、適当な「次のチャンネル」を構成することを望ましくは決定する。
【００２２】
いくつかの実施形態では、多重チャンネル受信モードは、他の事例においてもまた使用可能である。例として、使用者が「スキャン・チャンネル」オプションを選択した場合、多重チャンネル受信モードに入り、携帯テレビ装置１８は、自動的に次のチャンネルにインクリメントし、固定の時間帯のためにコンテンツを表示し、チャンネルをインクリメントするなどを行う。使用者が「チャンネル・サーフ・モード」オプションを選択したとき、チャンネル・サーフ・モードが使用者によって無効にされるまで、多重チャンネル受信モードもまた、永遠に呼び出される（すなわち、タイムアウト時間は実施的に無限に設定される）。
【００２３】
さらに、いくつかの実施例では、放送プロトコル及びＡＶコーデックは、多重層エンコーディングを支持し、多重チャンネル受信モードで受信したチャンネルは、総消費電力を減少し、装置システム・リソースの使用を低減するよう省電力モードで受信したチャンネルより低いビット・レートを受信することができる。
【００２４】
当然のことながら、例えば、１＜＝ｎ＜＝総チャンネル数である場合に、用語「前のチャンネル」、「次のチャンネル」を「前のｎチャンネル」、「次のｎチャンネル」に置き換えることに起因する実装のような、変形は予期される。
【００２５】
特定の「高速チャンネル変更を備えた携帯テレビシステム及び方法」は、詳細に示されかつ説明されたが、対象は、請求項のみに従って制限される本発明によって網羅されることが理解される。
【図面の簡単な説明】
【００２６】
【図１】図１は、非制限的な携帯テレビシステムの概念図である。
【図２】図２は、本発明に従った例となるロジックのフローチャートである。
【図１】
2009520442.tif 000003
【図２】
2009520442.tif 000004